(57)【特許請求の範囲】
【請求項１】
画像形成動作を実行する画像形成手段と、
画像形成手段によって実行される画像形成条件を表示する表示手段と、
使用者による画像形成条件の設定を受け付ける操作手段と、
使用者により設定された画像形成条件に関連して、所定の別の画像形成条件を自動的に設定する画像形成条件自動設定手段と、
使用者により設定された画像形成条件を第１の表示態様で表示し、前記画像形成条件自動設定手段により設定された画像形成条件を上記第１の表示態様とは異なる第２の表示態様で表示するように上記表示手段を制御する表示制御手段と、
を備えたことを特徴とする画像形成装置。
【請求項２】
請求項１に記載の画像形成装置において、
上記表示制御手段は、使用者により設定された画像形成条件を第１の色で表示し、上記画像形成条件自動設定手段により設定された画像形成条件を上記第１の色とは異なる第２の色で表示するように上記表示手段を制御することを特徴とする画像形成装置。
【請求項３】
請求項２に記載の画像形成装置において、
上記表示手段は、当該画像形成装置において設定可能な複数種類の画像形成条件を夫々表示する複数の表示領域を有し、
上記表示制御手段は、使用者により設定された画像形成条件に対応する表示領域を上記第１の色で表示し、上記画像形成条件自動設定手段により設定された画像形成条件に対応する表示領域を上記第２の色で表示するように上記表示手段を制御する
ことを特徴とする画像形成装置。
【請求項４】
請求項３に記載の画像形成装置において、
上記表示制御手段は、未設定状態の画像形成条件に対応する表示領域を上記第１及び第２の色とは異なる第３の色で表示するように上記表示手段を制御することを特徴とする画像形成装置。
【発明の詳細な説明】
【０００１】
【発明の属する技術分野】
この発明は画像形成装置に関する。より詳しくは、使用者が設定した画像形成条件に基づいて動作する画像形成装置に関する。
【０００２】
【従来の技術および発明が解決しようとする課題】
使用者（操作者）が設定したコピーモード（画像形成条件）に基づいて動作する複写機では、使用者が設定したコピーモード以外に、そのコピーモードに関連して別のコピーモードを自動的に設定又は解除する場合が多い。
【０００３】
（１）  その典型例は、使用者が設定した或るコピーモードに関連して一つ以上の他のモードを自動的に選択する場合である。例えば、使用者がブック原稿モード（本や雑誌などの綴じてある見開きページを１ページ毎にコピー用紙の片面にコピーしたり、１枚のコピー用紙の両面にコピーしたりするモード）を設定した場合は、本の綴じ目の影が黒くコピーされないように、センターイレースモード（原稿の中央部を消去してコピーするモード）を自動的に設定することがある。
【０００４】
（２）  また、使用者が或るコピーモード設定したとき、そのコピーモードと同時に実行すべきではない、予め設定されているコピーモードを解除して、他のコピーモードを自動的に選択する場合がある。例えば、予めステープルモード（ソートされた用紙を自動的にステープル綴じするモード）が設定されている状態で、使用者がＯＨＰ合紙モード（ＯＨＰフィルムにコピーするとき、ＯＨＰフィルムの間に合紙（コピー用紙）を差し込んでコピーするモード）を選択したとき、ＯＨＰフィルムは通常プレゼンテーションに使用されるものであり、ステープルやパンチ等は行わないし、複数部コピーするものでもないことから、自動的にステープモードを解除して、ノンソートモード（仕分けを行わずにコピー用紙を排出するモード）を選択する。
【０００５】
（３）  また、使用者が或るコピーモードを選択したとき、そのコピーモードと組み合わせることができない、予め設定されているコピーモードがを解除して、後に選択されたコピーモードを優先的に設定する場合がある。例えば、予め拡大連写モードが設定されている状態で、使用者が２ｉｎｌモード（２枚の片面原稿を１枚のコピー用紙の片面に圧縮してコピーする等のモード）を選択すると、自動的に拡大運写モードを解除して、２ｉｎｌモードを優先的に設定する。
【０００６】
このように、多くのコピーモードを有する複写機では、それらのコピーモードを用いて最良のコピー出力を得るために様々な工夫がなされている。
【０００７】
しかしながら、従来の複写機では、使用者が設定したコピーモードに関連して別のコピーモードを自動的に設定した場合、使用者がその自動的に設定されたコピーモードの存在や内容を判別しにくいという問題がある。
【０００８】
そこで、この発明の目的は、使用者が設定した画像形成条件に関連して別の画像形成条件を自動的に設定した場合に、使用者がその自動的に設定された画像形成条件の存在や内容を容易に判別できるようにした画像形成装置を提供することにある。
【０００９】
【課題を解決するための手段】
上記目的を達成するため、請求項１に記載の画像形成装置は、画像形成動作を実行する画像形成手段と、画像形成手段によって実行される画像形成条件を表示する表示手段と、使用者による画像形成条件の設定を受け付ける操作手段と、使用者により設定された画像形成条件に関連して、所定の別の画像形成条件を自動的に設定する画像形成条件自動設定手段と、使用者により設定された画像形成条件を第１の表示態様で表示し、前記画像形成条件自動設定手段により設定された画像形成条件を上記第１の表示態様とは異なる第２の表示態様で表示するように上記表示手段を制御する表示制御手段と、を備えたことを特徴とする。
【００１０】
この請求項１の画像形成装置では、画像形成条件自動設定手段によって自動的に設定された画像形成条件の存在又は内容は、使用者が操作手段を通してその画像形成条件を設定したときの第１の表示態様とは異なる第２の表示態様で表示手段の画面上に表示される。したがって、使用者がその自動的に設定された画像形成条件の存在や内容を、その第２の表示態様に基づいて容易に判別できる。この結果、使用者が意図しない画像形成条件に基づいてジョブの実行開始を指示するような操作ミスが減少して、使用者の利便性が高まる。
【００１１】
具体的には、設定されたコピーモードに基づいて、画像信号の入力、現像、用紙への転写、および用紙の排出を含むジョブを実行する画像形成部を備えた画像形成装置において、上記コピーモードを使用者が設定するための入力手段と、使用者が上記入力手段を通して設定したコピーモードに関連して、所定の別のコピーモードを自動的に設定するコピーモード自動設定手段と、設定されたコピーモードの存在又は内容を所定の表示態様で画面上に表示することができる表示手段と、上記コピーモード自動設定手段が自動的に設定したコピーモードについての上記表示手段における画面上の表示態様を、使用者が上記入力手段を通してそのコピーモードを設定したときの第１の表示態様とは異なる第２の表示態様で表示するように上記表示手段を制御する表示制御手段を備えるのが望ましい。
【００１２】
このようにした場合、コピーモード自動設定手段によって自動的に設定されたコピーモードの存在又は内容は、使用者が入力手段を通してそのコピーモードを設定したときの第１の表示態様とは異なる第２の表示態様で表示手段の画面上に表示される。したがって、使用者がその自動的に設定されたコピーモードの存在や内容を、その第２の表示態様に基づいて容易に判別できる。この結果、使用者が意図しないコピーモードに基づいてジョブの実行開始を指示するような操作ミスが減少して、使用者の利便性が高まる。
【００１３】
請求項２に記載の画像形成装置は、請求項１に記載の画像形成装置において、上記表示制御手段は、使用者により設定された画像形成条件を第１の色で表示し、上記画像形成条件自動設定手段により設定された画像形成条件を上記第１の色とは異なる第２の色で表示するように上記表示手段を制御することを特徴とする。
【００１４】
この請求項２の画像形成装置によれば、使用者は、画像形成条件自動設定手段によって自動的に設定された画像形成条件の存在や内容を、その第２の色に基づいて、直感的に容易に判別できる。したがって、使用者の利便性がさらに高まる。
【００１５】
請求項３に記載の画像形成装置は、請求項２に記載の画像形成装置において、上記表示手段は、当該画像形成装置において設定可能な複数種類の画像形成条件を夫々表示する複数の表示領域を有し、上記表示制御手段は、使用者により設定された画像形成条件に対応する表示領域を上記第１の色で表示し、上記画像形成条件自動設定手段により設定された画像形成条件に対応する表示領域を上記第２の色で表示するように上記表示手段を制御することを特徴とする。
【００１６】
請求項４に記載の画像形成装置は、請求項３に記載の画像形成装置において、上記表示制御手段は、未設定状態の画像形成条件に対応する表示領域を上記第１及び第２の色とは異なる第３の色で表示するように上記表示手段を制御することを特徴とする。
【００１７】
【発明の実施の形態】
以下、この発明の画像形成装置の実施の形態を詳細に説明する。
【００１８】
図１は、この発明の一実施形態のデジタルカラー複写機の概略断面構成を示している。
【００１９】
このデジタルカラー複写機は、原稿画像を読み取るイメージリーダ部１００と、イメージリーダ部１００で読み取った画像を再現する画像形成部２００とに大きく分けられる。
【００２０】
イメージリーダ部１００において、スキャナ１０は、原稿を照射する露光ランプ１２と、原稿からの反射光を集光するロッドレンズアレー１３、及び集光された光を電気信号に変換する密着型のＣＣＤカラーイメージセンサ１４を備えている。スキャナ１０は、原稿読取時にはモータ１１により駆動されて、矢印の方向(副走査方向)に移動し、プラテン１５上に載置された原稿を走査する。露光ランプ１２で照射された原稿面の画像は、イメージセンサ１４で光電変換される。イメージセンサ１４により得られたＲ,Ｇ,Ｂの３色の多値電気信号は、読取信号処理部２０により、イエロー(Ｙ)、マゼンタ(Ｍ)、シアン(Ｃ)、ブラック(Ｂｋ)のいずれかの８ビットの階調データに変換される。信号処理部２０において求められた８ビットの階調データは、同期用バッファ（ＦＩＦＯメモリ）３０に記憶される。プラテン１５の側部には、操作パネル部５０が設けられている。この操作パネル部５０は、制御ラインを介してプリントヘッド部３１と接続されている。プリントヘッド部３１では、操作パネル部５０を通して使用者により設定されるコピーモードに従い、複写機内部の各モータ等を制御すると共に、半導体レーザの発光強度を制御する。
【００２１】
次に、画像形成部２００において、複写処理全体を制御するプリントヘッド部３１は、バッファ３０を介して入力される８ビットの階調データに対して、所定の階調補正(γ補正)を行った後、補正後の画像データをＤ／Ａ変換してレーザダイオード駆動信号を生成し、この駆動信号に基づく発光強度で半導体レーザを変調する。プリントヘッド部３１から出力されるレーザビームは、反射鏡３９を介して、回転駆動される感光体ドラム４１を露光する。感光体ドラム４１は、１複写ごとに露光を受ける前にイレーサランプ４２で照射され、帯電チャージャ４３により一様に帯電されている。この状態で露光をうけると、感光体ドラム４１上に原稿の静電潜像が形成される。シアン、マゼンタ、イエロー、ブラックのトナー現像器４５a〜４５dのうちいずれか一つだけが選択され、感光体ドラム４１上の静電潜像を現像する。現像されたトナー像は、転写チャージャ４６により転写ドラム２５１上に巻きつけられた用紙に転写される。
【００２２】
上記印字過程は、イエロー（Ｙ）、マゼンタ（Ｍ）、シアン（Ｃ）及びブラック（Ｋ）の４色について繰り返して行われる。このとき、感光体ドラム４１と転写ドラム２５１の動作に同期してスキャナ１０はスキャン動作を繰り返す。その後、用紙は、分離爪４７を作動させることによって転写ドラム２５１から分離され、定着装置４８を通って定着され、ステーブルソータ４９に排紙される。ステーブルソータ４９は、操作パネル部５０を介して設定された排紙形式で用紙を出力する。ここで、排紙形式には、用紙を連続して１つの排紙トレーに廃止する形式と、各ページを１部づつ各排紙トレーに排紙する丁合い形式と、同一ページを同一排紙トレーに排紙するスタック形式とがある。用紙は、給紙カセット２５０より適切なサイズものが給紙される。供給された用紙は、転写ドラム２５１上のチャッキング機構２５２によりその先端がチャッキングされ、転写時に位置ずれが生じないようにしている。
【００２３】
図２は上記操作パネル部５０のパネル面を正面から見たところを示している。この操作パネル部５０のパネル面には、コピー枚数や複写倍率を直接設定するためのテンキー５４と、複写動作の開始を指示するプリントキー６１と、カラー液晶表示ユニット５１が設けられている。カラー液晶表示ユニット５１はいわゆるタッチパネルであり、図３中に示す表示手段としてのカラー液晶表示装置５２と、その上に設けられた透明なタッチスイッチ５３とからなっている。使用者は、液晶表示装置５２に表示されたキー入力画面をタッチスイッチ５３を通して視差なしに認識することができる。
【００２４】
図３は、操作パネル部５０における制御系のブロック構成を示している。コピーモード自動設定手段および制御手段として働くＣＰＵ（マイクロコンピュータ）５５は、操作パネル部５０全体の制御を行うとともに、使用者により設定された複写条件や、プリント開始の指示を制御ラインを介して、図１に示したプリントヘッド部３１へ伝える。ＲＯＭ５９は、操作パネル部５０で実行すべき表示制御処理（後述）のプログラムを格納する。
【００２５】
また、ＲＡＭ５８は、バッテリーによりバックアップされており、次に述べるように、ｉ）使用者により設定されたコピーモードとそれに基づいて自動的に設定されるコピーモード、ii）設定されたコピーモードとその設定原因を表すコード値、iii）コピーモードの設定原因に対応するカラー値等の各種データを記憶する。
【００２６】
ｉ）まず、ＲＡＭ５８は、図５に例示するように、使用者により設定されたコピーモードと、それに基づいて自動的に設定されるコピーモードとを対応づけるテーブルを有している。例えば、使用者がコピー部数（置数）を２以上に設定した場合、自動的にページ揃えをしてコピー用紙を排出するソートモードを自動的に設定する（自動設定１）。このようにソートモードを自動的に設定する理由は、仕分けしない状態でコピー用紙を排出すれば、使用者にとって自らコピーを各１セットずつ仕分けする必要が生じるからである。すなわち、ソータ等の仕分け装置が装着されている場合、使用者による仕分け作業を軽減するために、自動的にソートモードを設定するのである。また、使用者がブック原稿モード（本や雑誌などの綴じてある見開きページを１ページ毎にコピー用紙の片面にコピーしたり、１枚のコピー用紙の両面にコピーしたりするモード）を設定した場合は、本の綴じ目の影が黒くコピーされないように、原稿の中央部を消去してコピーするセンターイレースモードを自動的に設定する（自動設定１）。さらに、使用者が２ｉｎ１コピーモード（２枚の原稿を１枚のコピー用紙の片面に圧縮してコピーするモード）を設定した場合は、倍率×０．７０７倍を自動的に設定するとともに（自動設定１）、用紙サイズをＡ４縦とし（自動設定２）、上部とじ代を確保する（自動設定３）。このように、ＲＡＭ５８には、使用者により設定されたコピーモードと、使用者の便宜のためにそれに基づいて自動的に設定されるコピーモード群との関係が記憶されている。
【００２７】
ii）また、ＲＡＭ５８は、図８に例示するように、設定されたコピーモードとその設定原因を表すコード値とを対応づけるテーブルを有している。本複写機に搭載されている各コピーモードと、そのコピーモードに現在設定されている値（ＯＮ／ＯＦＦを含むコピーモードの設定内容を意味する。以下同様。）と、そのコピーモードの設定原因を表すコード値とが記憶される。コピーモードの設定原因は、未設定状態（初期値のままである場合を含む。）であるコピーモードについてはコード値“０”、使用者により設定されたコピーモードについてはコード値“１”、本複写機によって自動的に設定されたコピーモードについてはコード値“２”がそれぞれ格納される。
【００２８】
iii）また、ＲＡＭ５８は、図７に例示するように、コピーモードの設定原因（コード値で表される）と、液晶表示装置５２の画面上に表示すべき色を表すカラー値とを対応づけるテーブルを有している。コピーモードが未設定状態（コード値０）である場合はカラー値３、使用者がキー入力により設定したコピーモードについてはカラー値１６、本複写機が自動的に設定したコピーモードについてはカラー値６４がそれぞれ対応する。後述するように、これらのカラー値が表す色が、画面上のそのコピーモードに関する表示領域（コピーモード表示領域）に表示される。
【００２９】
図３中に示す色情報記憶手段としてのカラーパレット６３は、図６に示すように、画面上に表示すべき色を表すカラー値と、Ｒ（赤）、Ｇ（緑）、Ｂ（青）の各成分の値との関係を記憶している。カラー値は１から１２７までの整数であり、各カラー値に対応して、Ｒ、Ｇ、Ｂの各成分の値が０〜２５５の範囲で設定されている。例えばカラー値１は、Ｒ成分が０、Ｇ成分が０、Ｂ成分が８であることから、非常に薄い青色を表す。また、カラー値１２７は、Ｒ成分が２５５、Ｇ成分が２５５、Ｂ成分が２５５であることから、最も暗い黒色を表す。
【００３０】
ＶＲＡＭ５７は液晶表示装置５２に表示する各種のキー入力画面のデータを格納する。
【００３１】
ＭＰＸ（マルチプレクサ）６０は、ＶＲＡＭ５７から読み出されるキー入力画面のデータおよびカラーパレット６３から読み出されるＲＧＢ値と、ＲＡＭ５８より読み出される複写条件のデータ（例えば、複写枚数や倍率）とを合成し、その合成したデータをＬＣＤコントローラ５６に入力する。ＬＣＤコントローラ５６は、ＣＰＵ５５より送られてくるデータに従って液晶表示装置５２にデータを出力する。
【００３２】
スイッチ６２によりＯＮ／ＯＦＦされるバックライトを備える液晶表示装置５２は、ＬＣＤコントローラ５６より送られてくる制御信号に従ってキー入力画面を表示する。使用者は、例えば図４に示すようにキー入力画面に表示されたキー５０５〜５１１の領域をタッチスイッチ５３を介して触れることでタッチスイッチ５３を押下する。５１２は画面の背景領域である。タッチスイッチ５３は複数のスイッチからなり、使用者により押下されたスイッチの位置データをＣＰＵ５５に送る。ＣＰＵ５５は、タッチスイッチより送られてくる位置データと、現在表示中のキー入力画面とに基づいて、使用者が押下したキーを認識する。ＣＰＵ５５は、認識したキーの内容に応じてＲＡＭ５８、ＶＲＡＭ５７およびＬＣＤコントローラ５６に制御信号を送って、液晶表示装置５２の表示画面を切り換える。したがって、使用者は、キー５０５〜５１１を押下することにより、画面遷移、コピーモードの設定、部門の設定等を行うことができる。また、タッチスイッチ５３の入力により、本複写機のコピーモードが確定した場合、ＣＰＵ５５は、ＲＡＭ５８に記憶しているコピーモードの設定原因に対応するカラー値に基づいて、そのコピーモードに関するコピーモード表示領域をそのカラー値の色で表示する表示画面を作成する。そして、カラーパレット６３およびＬＣＤコントローラ５６に制御信号を送って、液晶表示装置５２の表示画面を切り換える。
【００３３】
図９はＣＰＵ５５が実行する表示制御処理のメインルーチンを示している。
【００３４】
なお、この表示制御処理では２種類のフラグＣｈｇＳＣｒおよびＣｈｇＣｌｒを用いる。
【００３５】
フラグＣｈｇＳＣｒには、表示画面を書き換えるか否かを示す値が設定される。詳しくは、フラグＣｈｇＳＣｒに“０”が設定されている場合は表示画面を書換えないことを意味し、フラグＣｈｇＳＣｒに“１”が設定されている場合表示画面を書き換えることを意味する。
【００３６】
フラグＣｈｇＣｌｒには、画面上のコピーモード表示領域の色を書き換えるか否かを示す値が設定される。詳しくは、フラグＣｈｇＣｌｒに“０”が設定されている場合はコピーモード表示領域の色を書き換えないことを意味し、フラグＣｈｇＣｌｒに“１”が設定されている場合はコピーモード表示領域の色を書き換えることを意味する。
【００３７】
（１）  さて、複写機本体の電源がオンされると、まずＣＰＵ５５はコピーモード、各種フラグ等を初期化する初期化処理を実行する（Ｓ１０１）。
【００３８】
詳しくは図１０に示すように、まずＣＰＵ５５自体を初期化し（Ｓ２０１）、コピーモードを初期化する（Ｓ２０２）。次に、プリントヘッド部３１、タッチスイッチ５３、プリントキー６１等からの割り込みを許可する（Ｓ２０３）。さらに、初期画面（図４）を表示すべく、フラグＣｈｇＳｃｒに“１”を設定して（Ｓ２０４）、表示画面やコピーモード表示領域の色を書き換える画面表示処理を実行する（Ｓ２０５）。すなわち、図１２に示すように、まずフラグＣｈｇＳｃｒに“１”が設定されているか否か、すなわち表示画面を書き換えるか否かを判断する。この場合、予めフラグＣｈｇＳｃｒに“１”が設定されているので、ステップＳ４０２に進んで、ＶＲＡＭ５７から書き換え画面（ここでは初期画面）に対応する画面データを読み出し、これを液晶表示装置５２に出力する（Ｓ４０２）。次に、フラグＣｈｇＣｌｒに“１”が設定されているか否かを判断する（Ｓ４０３）。初期状態ではフラグＣｈｇＣｌｒに“０”が設定されているので、フラグＣｈｇＳＣｒ、ＣｈｇＣｌｒをいずれも“０”にクリアする（Ｓ４０５）。
【００３９】
この初期化処理の結果として、表示画面は初期画面（図４）となり、フラグＣｈｇＳＣｒ、ＣｈｇＣｌｒはいずれも“０”となる。
【００４０】
（２）  次に、使用者が操作パネル部５０を通して入力（以下「パネル入力」という。）を行ったか否かを判断する（Ｓ１０２）。パネル入力がない場合は、ステップＳ１０９に進んで「その他の処理」を実行し、パネル入力があるまで待つ。パネル入力があった場合は、そのパネル入力の内容を判定する入力処理を実行する（Ｓ１０３）。
【００４１】
詳しくは図１１に示すように、まずパネル入力がプリントキー６１の押下であるか否かを判断する（Ｓ３０１）。ここでパネル入力がプリントキーの押下である場合、このプリント要求は図９における以降のステップで処理するので、直ちにメインルーチンへリターンする。一方、パネル入力がプリントキーの押下以外の入力である場合、現在の画面に対応するキーマトリクスを読み出して、タッチスイッチ５３の押下された位置から押されたキーの種類を判別する（Ｓ３０２）。
【００４２】
ここで、押されたキーがコピーモード設定に関するキー（例：用紙サイズの選択）である場合、そのキーに対応するコピーモード設定処理を行う（Ｓ３０３）。すなわち、ＲＡＭ５８における図８に示したテーブルに、そのコピーモードについてそのキーに対応する値を書き込むとともに、そのコピーモードが使用者により設定されたことを表すコード値“１”を設定原因として書き込む。次に、ＲＡＭ５８における図５に示したテーブルを参照して、そのコピーモードの設定に基づいて自動的に設定すべきコピーモードがあるか否かを判断する（Ｓ３０５）。自動的に設定すべきコピーモードがある場合は、ＲＡＭ５８における図８に示したテーブルに、そのコピーモードについて所定の値を書き込むとともに、そのコピーモードが自動的に設定されたことを表すコード値“２”を設定原因として書き込む。一方、ステップＳ３０２で、押されたキーが画面遷移を指示するキーである場合、そのキーに対応する画面遷移処理を行う（Ｓ３０４）。すなわち、ＶＲＡＭ５７に書き換え画面に対応する画面データを格納する。
【００４３】
次に、コピーモードの設定および画面遷移によって、表示画面を書き換えるか否かを判断する（Ｓ３０７）。表示画面を書き換える必要がある場合は、表示画面を書き換えるべくフラグＣｈｇＳｃｒに“１”を設定する（Ｓ３０８）。一方、表示画面を書き換える必要がない場合は、そのまま次のステップＳ３０９へ進む。
【００４４】
次のステップＳ３０９では、コピーモードの設定原因が変更されたか否かを判断する。コピーモードの設定原因が変更された場合は、表示画面を書き換えるか否かにかかわらず、コピーモード表示領域の色を書き換えるべくフラグＣｈｇＣｌｒに“１”を設定する（Ｓ３０９）。一方、コピーモードの設定原因が変更されていない場合は、そのまま図９のメインルーチンへリターンする。
【００４５】
（３）  次に、そのパネル入力に対応して表示画面やコピーモード表示領域の色を書き換える画面表示処理を実行する（Ｓ１０４）。
【００４６】
詳しくは図１２に示すように、まずフラグＣｈｇＳｃｒに“１”が設定されているか否か、すなわち表示画面を書き換えるか否かを判断する。ここでフラグＣｈｇＳｃｒに“１”が設定されている場合、ステップＳ４０２に進んで、ＶＲＡＭ５７から書き換え画面に対応する画面データを読み出し、これを液晶表示装置５２に出力する（Ｓ４０２）。この結果、パネル入力に応じて表示画面が書き換えられる。一方、フラグＣｈｇＳｃｒに“０”が設定されている場合は、表示画面の書き換えが必要でないため、そのまま次のステップＳ４０３へ進む。次のステップＳ４０３では、フラグＣｈｇＣｌｒに“１”が設定されているか否か、すなわち画面上のコピーモード表示領域の色を書き換えるか否かを判断する。フラグＣｈｇＣｌｒに“１”が設定されている場合、コピーモード表示領域の色を書き換えるべく、ＲＡＭ５８における図８に示したテーブルからコピーモード設定原因（コード値）を読み出すとともに、図７に示したテーブルからその設定原因（コード値）に対応するカラー値を読み出す。さらに、図６に示したカラーパレットからそのカラー値に対応するＲ、Ｇ、Ｂの各成分値を読み出し、これを液晶表示装置５２に出力する（Ｓ４０４）。この結果、画面上のコピーモード表示領域に、そのコピーモードの設定原因に応じた色が表示される。一方、フラグＣｈｇＣｌｒに“０”が設定されている場合は、コピーモード表示領域の色の書き換えが必要でないため、そのまま次のステップＳ４０５へ進む。次のステップＳ４０５では、フラグＣｈｇＳｃｒ，ＣｈｇＣｌｒをそれぞれ“０”にクリアする。
【００４７】
（４）  この後、図９のステップＳ１０５に進んで、使用者によって設定されたコピーモードの情報をプリントヘッド部３１に送る。
【００４８】
（５）  次に、使用者によってプリントキーが押されたか否かを判断する（Ｓ１０６）。プリントキーが押されていない場合はステップＳ１０２へ戻ってパネル入力を待つ。一方、プリントキーが押された場合は、ステップＳ１０７に進んで、プリントヘッド部３１へプリント開始の指示を送る。
【００４９】
（６）  次に、ステップＳ１０８で、プリントヘッド部３１からプリント終了信号を受け取るまで待つ。プリントが終了してプリントヘッド部３１からプリント終了信号を受け取ると、ステップＳ１０２へ戻る。
【００５０】
（７）  ステップＳ１０２で再びパネル入力があった場合は、上記ステップＳ１０３〜Ｓ１０８の処理を繰り返す。
【００５１】
具体例を挙げると、例えば液晶表示装置５２に図１３のようなキー入力画面が表示されているものとする。この場合、コピーモードとして用紙サイズ「Ａ４横」が選択された状態にある。ここで、使用者が基本キー５０８を押下（画面遷移指示の一つ）した場合は液晶表示装置５２の画面は図１５のような基本画面に遷移する。一方、図１３のキー入力画面で使用者が例えば「オート用紙」キー５１３を押下した場合は、図１４に示すように、コピーモードとしてオート用紙モード（原稿のサイズに合わせて自動的にコピー用紙のサイズを切り換えるモード）が設定される。これとともに、使用者の便宜のために、本複写機によって自動的に等倍モード（「×１．０００」と表示される）が設定される。この等倍モードの設定原因は「自動設定」であるから、図１６に示すように、「×１．０００」のコピーモード表示領域５１０の色が本来の水色から例えば青色（図１６中には便宜上黒色で示す）に切り換えられる。
【００５２】
このように、この複写機では、自動的に設定されたコピーモードについてのコピーモード表示領域の色が、使用者が操作パネルを通してそのコピーモードを設定したときのコピーモード表示領域の色とは異なる色に切り換えられるので、使用者がその自動的に設定されたコピーモードの存在や内容を、そのコピーモード表示領域の色に基づいて、直感的に容易に判別できる。この結果、使用者が意図しないコピーモードに基づいてジョブの実行開始を指示するような操作ミスを減少でき、使用者の利便性を高めることができる。
【００５３】
なお、コピーモードが自動的に設定されたことをコピーモード表示領域の色を変えて表示する以外に、自動的に設定されたコピーモードを識別するためのマーク（例えば絵文字など、文字、図形、記号若しくはこれらの結合又はこれらと色彩との結合からなる）を画面上に表示してもよい。この場合は、ＲＡＭ５８における図７に示したテーブルに、予めカラー値に代えてマークの種類を特定する値（マーク特定値）を記憶するとともに、実際の表示データをＶＲＡＭ５７に記憶しておく。そして、図１２に示した画面表示処理のステップＳ４０３でフラグＣｈｇＣｌｒに“１”が設定されている場合、ステップＳ４０４に進んで、ＲＡＭ５８における図７に示したテーブルから設定原因（コード値）に対応するマーク特定値を読み出し、ＶＲＡＭ５７からそのマークの表示データを読み出して画面上に表示する。
【００５４】
【発明の効果】
以上より明らかなように、この画像形成装置では、画像形成条件自動設定手段によって自動的に設定された画像形成条件の存在又は内容は、使用者が操作手段を通してその画像形成条件を設定したときの第１の表示態様とは異なる第２の表示態様で表示手段の画面上に表示されるので、使用者がその自動的に設定された画像形成条件の存在や内容を、その第２の表示態様に基づいて容易に判別できる。この結果、使用者が意図しない画像形成条件に基づいてジョブの実行開始を指示するような操作ミスを減少でき、使用者の利便性を高めることができる。
【００５５】
また、この画像形成装置では、表示制御手段を、使用者により設定された画像形成条件を第１の色で表示し、上記画像形成条件自動設定手段により設定された画像形成条件を上記第１の色とは異なる第２の色で表示するように上記表示手段を制御するように成せば、使用者は、画像形成条件自動設定手段によって自動的に設定された画像形成条件の存在や内容を、その第２の色に基づいて、直感的に容易に判別することができる。したがって、使用者の利便性をさらに高めることができる。
【図面の簡単な説明】
【図１】  この発明の一実施形態のデジタルカラー複写機の概略断面構成を示す図である。
【図２】  上記複写機の操作パネル部のパネル面を正面から見たところを示す図である。
【図３】  上記複写機の操作パネル部の制御系のブロック図である。
【図４】  上記操作パネル部の液晶表示装置に表示される初期画面を例示する図である。
【図５】  使用者により設定されたコピーモードと、それに基づいて自動的に設定されるコピーモードとを対応づけるテーブルを示す図である。
【図６】  カラーパレットに記憶されているカラー値と、カラー値に対応するＲ、Ｇ、Ｂの各成分の値とを示す図である。
【図７】  コピーモードの設定原因（コード値で表される）と、液晶表示装置５２の画面上に表示すべき色を表すカラー値とを対応づけるテーブルを示す図である。
【図８】  設定されたコピーモードとその設定原因を表すコード値とを対応づけるテーブルを示す図である。
【図９】  上記操作パネル部におけるＣＰＵの処理のメインフローを示す図である。
【図１０】  上記メインフローにおける初期化処理のフローを詳細に示す図である。
【図１１】  上記メインフローにおける入力処理のフローを詳細に示す図である。
【図１２】  表示画面やコピーモード表示領域を書き換える画面表示処理のフローを示す図である。
【図１３】  上記操作パネル部におけるＣＰＵの処理により液晶表示装置に表示される画面を例示する図である。
【図１４】  上記操作パネル部におけるＣＰＵの処理により液晶表示装置に表示される画面を例示する図である。
【図１５】  上記操作パネル部におけるＣＰＵの処理により液晶表示装置に表示される画面を例示する図である。
【図１６】  上記操作パネル部におけるＣＰＵの処理により液晶表示装置に表示される画面を例示する図である。
【符号の説明】
３１  プリントヘッド部
５０  操作パネル部
５２  カラー液晶表示装置
５５  ＣＰＵ
５６  ＬＣＤコントローラ
５７  ＶＲＡＭ
６３  カラーパレット
【図１】
0003649564.tif 000002
【図２】
0003649564.tif 000003
【図３】
0003649564.tif 000004
【図４】
0003649564.tif 000005
【図５】
0003649564.tif 000006
【図６】
0003649564.tif 000007
【図７】
0003649564.tif 000008
【図８】
0003649564.tif 000009
【図９】
0003649564.tif 000010
【図１０】
0003649564.tif 000011
【図１１】
0003649564.tif 000012
【図１２】
0003649564.tif 000013
【図１３】
0003649564.tif 000014
【図１４】
0003649564.tif 000015
【図１５】
0003649564.tif 000016
【図１６】
0003649564.tif 000017